(57)【特許請求の範囲】
【請求項１】
女性器の周りを取り囲んで当該性器の尿道口から排出された尿が外部に漏れるのを阻止可能な排尿受け口部と、この排尿受け口部と連通し排尿を収納可能な排尿収納袋とを有し、
前記排尿受け口部に、前記女性器およびその周辺の人体部位に付着した尿を拭き取り可能な尿拭き取り部を設け、前記排尿受け口部の外面または前記排尿収納袋に、裏返して当該排尿受け口部の尿付着可能部分および前記尿拭き取り部を覆い可能なスカート状シート材を設け、このスカート状シート材の内側の上部二箇所を前記排尿受け口部の外面と前記排尿収納袋の外面の上部とに固着して、当該上部二箇所間にそれぞれ親指と人差し指とを差し込み可能な一対の指入れ部とを形成し、前記尿拭き取り部が、前記女性器の周りの部位と弾性接触して内側空間を密封可能に形成され、かつ、高い吸水性と高い保水性とを有する芯材と、この芯材を被覆し肌触りが柔らかで透水性のあるカバー材とから形成された女性用排尿器。
【発明の詳細な説明】
【０００１】
【発明の属する技術分野】
本発明は、便所（トイレ）以外の場所（例えば、自動車の中やベット上）で使用するのに好適な女性用排尿器に関する。
【０００２】
【従来技術】
最近では、公衆便所も数多く設置されるようになってきたが、設置数が少ない場所もある。
【０００３】
例えば、高速道路では、パーキングエリアに大きな公衆便所が設けられているものの、それ以外の箇所では便所が設置されていないのが一般的である。ここで、通常の速度（８０ｋｍ／ｈ〜１００ｋｍ／ｈ）で自動車を走らせることができれば、運転途中で尿意をもよおしても近くのパーキングエリアに入るまで何とか我慢できる。しかし、渋滞に巻き込まれてノロノロ運転せざるをえない場合には、排尿を我慢できないという緊急事態が発生することになる。
【０００４】
男性の場合は、車内にビニール袋や空き瓶などがあれば、それらの中に排尿することも可能であるが、女性の場合には身体の構造上ビニール袋の中などに溢さずに排尿するのは至難であり、窮することになる。
【０００５】
かかる緊急事態に対処するものとして、女性用の排尿器が従来より市販されている。図１１に排尿器の従来構成を示す。
【０００６】
この排尿器７０は、ビニール袋７３の口（開口部分）に襟のような排尿受け口部７１を設け、袋７３内に尿凝固剤７７を入れたものである。なお、図１１において、７５はファスナーである。
【０００７】
自動車の中などで上記排尿器７０を使用して排尿する場合には、まず下着を下ろす（理想的には脱ぐ）。この際、スカート履きでない場合には、下半身が外から見えないように上着などを脱いで覆う。次に、図１２に示すように、排尿器７０のファスナー７５を開けた後、スカート等の中へ差し込んで排尿受け口部７１の開口部分に女性器が入るようにセットする。この際、尿が外へ漏れないように排尿受け口部７１の上側開口縁部を女性器の周りの肌に密着させる必要がある。次に、その状態で排尿すれば、尿はビニール袋７３の中に入り凝固する。排尿後は、ファスナー７５を閉じた後、スカート等の中から外へ取り出す。帰宅後、図１３に示すように、ゴミ袋７９に入れ廃棄物として処理する。
【０００８】
【発明が解決しようとする課題】
ところで、上記女性用排尿器には、次のような問題点がある。
【０００９】
（イ）女性は便所（トイレ）では排尿後にトイレットペーパーで女性器やその周辺に付いた尿を拭き取るのが一般的であるが、上記した場合では片手に排尿器７０を持った状態でもう一方の手にティッシュペーパーを持ち、スカート等の中へ差し込んで尿を拭き取らなければならず、面倒である。なお、排尿器７０をスカート等の中から外へ取り出した後に尿を拭き取ることも可能であるが、これでは尿を拭き取るまでに尿が垂れるなどして、スカートや車のシートやカーペットなどを汚すおそれがある。
【００１０】
（ロ）排尿後に排尿器７０をスカート等の中から取り出す場合に、排尿受け口部７１に付いていた尿がスカート等の裏側と接触して汚してしまうことがある。
【００１１】
（ハ）排尿に当たっては、排尿器７０の排尿受け口部７１が女性器の周りの肌に密着していなければ、尿が外へ漏れるおそれがあるが、漏れを避けるためには排尿受け口部７１を肌に強く押し付けなければならず、圧迫された肌部分が傷ついたり痛くなることがある。
【００１２】
なお、排尿器７０は、上記した場合以外でも役立つ。例えば、病院に入院している患者で、便所に行って排尿するのは体力的に過度の負担が掛かって無理であるが、ベッドの上で一人で排尿することは可能である場合には、上記排尿器は便利である。この場合にも、上記問題点（イ）、（ロ）、（ハ）は解消される必要があるとともに、身体を動かすのが難儀な患者のために一段と排尿しやすい構造のものが求められている。
【００１３】
本発明の目的は、排尿後に迅速かつ容易に女性器等を拭くことができる女性用排尿器を提供することにある。また、尿で衣類等を汚さずに後片付けすることができる女性用排尿器を提供することも目的とする。また、排尿受け口部を強く押し付けなくても尿が外部へ漏れるのを防止できる女性用排尿器を提供することも目的とする。また、一段と楽に排尿できる女性用排尿器を提供することも目的とする。
【００１４】
上記目的を達成するために、請求項１の発明は、女性器の周りを取り囲んで当該性器の尿道口から排出された尿が外部に漏れるのを阻止可能な排尿受け口部と、この排尿受け口部と連通し排尿を収納可能な排尿収納袋とを有し、前記排尿受け口部に、前記女性器およびその周辺の人体部位に付着した尿を拭き取り可能な尿拭き取り部を設け、前記排尿受け口部の外面または前記排尿収納袋に、裏返して当該排尿受け口部の尿付着可能部分および前記尿拭き取り部を覆い可能なスカート状シート材を設け、このスカート状シート材の内側の上部二箇所を前記排尿受け口部の外面と前記排尿収納袋の外面の上部とに固着して、当該上部二箇所間にそれぞれ親指と人差し指とを差し込み可能な一対の指入れ部とを形成し、前記尿拭き取り部が、前記女性器の周りの部位と弾性接触して内側空間を密封可能に形成され、かつ、高い吸水性と高い保水性とを有する芯材と、この芯材を被覆し肌触りが柔らかで透水性のあるカバー材とから形成された女性用排尿器である。
【００１５】
上記請求項１の発明の場合、排尿後に尿拭き取り部で女性器やその周辺についている尿を奇麗に拭き取ることができる。ここで、尿拭き取り部は、排尿受け口部に設けられているので、迅速かつ容易に尿を拭き取ることができ、尿が垂れるなどして衣類等を汚すことはない。また、排尿後にスカート状シート材を裏返して排尿受け口および尿拭き取り部を覆うことができる。したがって、一段と、尿で衣類等を汚さずに後片付けすることができる。また、尿拭き取り部を女性器の周りの部位と弾性接触させて内側空間を密封できるので、排尿後に迅速かつ容易にしかも快適に女性器等を拭くことができるとともに、排尿受け口部を特に強く押し付けなくても尿が外部へ漏れるのを防止できる。また、一対の指入れ部を形成したので、当該各指入れ部に親指と人差し指とを差し込み、その状態で当該両指で排尿受け口部を保持すれば、手を一段と確実にスカート状シート材で隠した状態で尿拭き取り等を行える。したがって、この点からも、手が尿で汚れるのを一段と確実に防止できる。
【００２６】
【発明の実施の形態】
本発明の実施の形態を図面を参照しながら説明する。
【００２７】
本発明に係る女性用排尿器は、図１に示すように、排尿受け口部１１と排尿収納袋２１とを有し、排尿受け口部１１に尿拭き取り部３１を設け、排尿後に迅速かつ容易に女性器等を拭き取り可能に構成されている。また、この実施形態では、スカート状シート材４１をも設けた構成とされている。
【００２８】
以下、具体的に女性用排尿器１０の各構成要素を説明する。
【００２９】
まず、排尿受け口部１１は、女性器の周りを取り囲んで当該性器の尿道口から排出された尿が外部に漏れるのを阻止可能に形成されている。
【００３０】
より具体的には、排尿受け口部１１は、図２に示すように、横断面が扁平な楕円環状に形成されており、上部開口縁部１２が図１に示す底部開口縁部１３に対して傾斜（この実施形態では、傾斜角度３５°）されている。これにより、女性が排尿する姿勢を取って排尿受け口部１１の上部開口縁部１２を女性器の周りの部位に押し当てた場合に、排尿収納袋２１がほぼ垂直に垂れ下がることになり、排尿を円滑に当該袋２１に収納できる。この排尿受け口部１１は、合成樹脂、紙などから形成されており、図２中矢印で示す方向に変形可能とされている。この実施形態では、燃やしてもダイオキシン等の発生しない非塩素系樹脂（例えば、ポリオレフィン）から製造されている。
【００３１】
また、排尿収納袋２１は、図１に示すように、排尿受け口部１１と連通し排尿を収納可能に形成されている。この実施形態では、排尿収納袋２１は、非塩素系樹脂（例えば、ポリオレフィン）から製造されている。この排尿収納袋２１には、その上部にファスナー２５が設けられており、当該ファスナー２５から下の袋部分には尿を固まらせるための尿凝固剤２７が入れられている。
【００３２】
次に、本発明の特徴部である尿拭き取り部３１は、排尿受け口部１１に設けられており、女性器およびその周辺の人体部位に付着した尿を拭き取り可能に形成されている。この尿拭き取り部３１は、女性器の周りの部位と弾性接触して内側空間を密封可能に形成されている。また、尿拭き取り部３１は、高い吸水性と高い保水性とを有するように形成されている。
【００３３】
具体的には、尿拭き取り部３１は、図２および図３に示すように、高い吸水性と高い保水性とを有する芯材３２と、この芯材３２を被覆し肌触りが柔らかで透水性のあるカバー材３４とから形成されており、排尿受け口部１１の上部開口縁部１２を全周にわたって覆うように両面テープ３６を用いて装着されている。芯材３２は、非塩素系の高吸水性ポリマーシートから形成されている。また、カバー材３４は、非塩素系のポリプロピレン不織布から形成されている。
【００３４】
スカート状シート材４１は、図１に示すように、排尿収納袋２１の上部に設けられており、図７に示すように裏返して当該排尿受け口部１１の尿付着可能部分および尿拭き取り部３１を覆い可能に形成されている。なお、スカート状シート材は、排尿受け口部１１の外面に装着してもよい。この実施形態では、スカート状シート材４１は、非塩素系樹脂フィルム（例えば、ポリエステル製フィルム）から形成されている。
【００３５】
次に、この実施形態の作用について説明する。
【００３６】
例えば、女性が自動車内で上記女性用排尿器１０を使用して排尿する場合には、まず下着を下ろす（理想的には脱ぐ）。この際、スカート履きでない場合には、上着などを脱いで下半身を覆えば排尿を隠した状態で行える。
【００３７】
次に、図６に示すように、排尿器１０のファスナー２５を開けた後、スカート等の中へ差し込んで排尿受け口部１１の開口部分に女性器が入るようにセットする。この際、尿拭き取り部３１を女性器の周りの部位と弾性接触させて内側空間を密封できるので、排尿受け口部１１を特に強く肌に押し付けなくても尿が外部へ漏れるのを防止できる。また、尿拭き取り部３１は肌触りもよいので、肌が過度に圧迫されて痛みを覚えるようなことはない。次に、その状態で排尿すれば、尿は排尿収納袋２１の中に入って凝固される。
【００３８】
排尿後は、尿拭き取り部３１で女性器やその周辺についている尿を奇麗に拭き取ることができる。この際、図４および図５に示すように、排尿受け口部１１を両側から押して尿拭き取り部３１を閉じれば、一段と効率よく尿を拭き取ることができる。ここで、尿拭き取り部３１は、排尿受け口部１１に設けられているので、迅速に尿を拭き取ることができ、尿が垂れるなどして衣類等を汚すことはない。また、尿拭き取り部３１は、高い吸水性と高い保水性とを有しているいるので、一段と確実に女性器に付いた尿を拭き取ることができる。また、尿拭き取り部３１は、高吸水性ポリマーシート製の芯材３２と、ポリエステル不織布からなるカバー材３４とから形成されているので、女性器等に付いた尿を一段と快適に拭き取ることができる。
【００３９】
尿を拭き取った後は、図７に示すように、スカート状シート材４１を裏返して排尿受け口部１１の尿付着可能部分および尿拭き取り部３１を覆う。これにより、尿でスカート等を汚さずに外へ取り出すことができる。帰宅後にゴミ袋に入れ廃棄物として処理する。
【００４０】
なお、上記実施形態では、排尿受け口部１１と排尿収納袋２１とが直結されていたが、これに限定されるものではなく、図９に示すように、排尿受け口部１１と排尿収納袋２１とを柔軟なパイプ５３で連結した構成としてもよい。図９において、５１は尿がパイプ５３を通じて排尿収納袋２１へ流れるまでに一時的に収納しておくための一時的貯留部である。かかる構成により、身体の動きに制約を受けることが多い人（病人等）であっても、排尿収納袋２１に煩わされることなく楽に排尿することができる。
【００４１】
また、スカート状シート材４１の上端部を排尿収納袋２１の上部に固着したが、図１０に示すように、排尿受け口部１１の外面の上部に固着してもよい。これにより、手をスカート状シート材４１の中に入れた状態で直接的に排尿受け口部１１を保持することができ、上記した排尿受け口部１１のセットや排尿後の尿の拭き取りを一段と円滑かつ確実に行える。
【００４２】
なお、図１０において、スカート状シート材４１の内側の上部二箇所〔同図では、手前側のニ箇所（６２，６３）のみを図示する〕を排尿受け口部１１の外面と排尿収納袋２１の外面の上部とに固着して、当該上部二箇所（６２，６３）間に指入れ部６１を形成してもよい。指入れ部６１は、親指を差し込み可能に形成されている。図１０では図示を省略したが、上記指入れ部６１と対向して同様構成の指入れ部が形成されている。この指入れ部は、人差し指を差し込み可能に形成されている。親指と人差し指とを上記指入れ部（６１等）に差し込み、その状態で当該両指で排尿受け口部１１を保持すれば、手を一段と確実にスカート状シート材４１で隠した状態で尿拭き取り等を行える。したがって、手が尿で汚れるのを一段と確実に防止できる。
【００４３】
また、上記実施形態では、スカート状シート材４１を設けたが、このシート材４１を設けなくても、排尿後に女性器等に付いた尿を迅速かつ容易に拭き取ることはできる。
【００４４】
請求項１の発明によれば、排尿後に尿拭き取り部で女性器やその周辺についている尿を奇麗に拭き取ることができる。ここで、尿拭き取り部は、排尿受け口部に設けられているので、迅速かつ容易に尿を拭き取ることができ、尿が垂れるなどして衣類等を汚すことはない。また、排尿後にスカート状シート材を裏返して排尿受け口および尿拭き取り部を覆うことができる。したがって、一段と、尿で衣類等を汚さずに後片付けすることができる。また、尿拭き取り部を女性器の周りの部位と弾性接触させて内側空間を密封できるので、排尿後に迅速かつ容易にしかも快適に女性器等を拭くことができるとともに、排尿受け口部を特に強く押し付けなくても尿が外部へ漏れるのを防止できる。また、一対の指入れ部を形成したので、当該各指入れ部に親指と人差し指とを差し込み、その状態で当該両指で排尿受け口部を保持すれば、手を一段と確実にスカート状シート材で隠した状態で尿拭き取り等を行える。したがって、この点からも、手が尿で汚れるのを一段と確実に防止できる。
【００４５】
請求項２の発明によれば、排尿受け口部の外面または排尿収納袋に設けたスカート状シート材を裏返して排尿受け口および尿拭き取り部を覆いできる。したがって、排尿後に迅速かつ容易に女性器等を拭くことができるとともに、尿で衣類等を汚さずに後片付けすることができる。
【図面の簡単な説明】
【図１】本発明の実施形態を説明するための外観図である。
【図２】同じく、排尿受け口部および尿拭き取り部を説明するための外観斜視図である。
【図３】同じく、尿拭き取り部を説明するための縦断面図である。
【図４】同じく、排尿受け口部を変形して尿拭き取り部を閉じた状態を示す外観斜視図である。
【図５】同じく、排尿受け口部を変形して尿拭き取り部を閉じた状態を示す縦断面図である。
【図６】同じく、排尿収納袋のファスナを開けた状態を示す図である。
【図７】同じく、スカート状シート材を裏返して尿拭き取り部等を覆った状態を示す図である。
【図８】同じく、裏返したスカート状シート材の先端部分を結んだ状態を示す図である。
【図９】同じく、変形例（１）を説明するための図である。
【図１０】同じく、変形例（２）を説明するための図である。
【図１１】女性用排尿器の従来構成を示す図である。
【図１２】同じく、ビニール袋のファスナーを開けた状態を示す図である。
【図１３】同じく、廃棄物として出す場合の状態を示す図である。
【符号の説明】
１０  女性用排尿器
１１  排尿受け口部
２１  排尿収納袋
３１  尿拭き取り部
３２  芯材
３４  カバー材
４１  スカート状シート材
【図１】
0003718713.tif 000002
【図２】
0003718713.tif 000003
【図３】
0003718713.tif 000004
【図４】
0003718713.tif 000005
【図５】
0003718713.tif 000006
【図６】
0003718713.tif 000007
【図７】
0003718713.tif 000008
【図８】
0003718713.tif 000009
【図９】
0003718713.tif 000010
【図１０】
0003718713.tif 000011
【図１１】
0003718713.tif 000012
【図１２】
0003718713.tif 000013
【図１３】
0003718713.tif 000014